【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
ＵＥまたはｅＮＢ内で、物理ダウンリンク制御チャネルを取り出すために前記ＵＥによって復号すべきリソースを判定する方法であって、
ｉ．１つの物理リソース・ブロック対内のリソースの単位の開始位置を判定するステップと、
ｉｉ．前記単位のうちの２つの間のギャップを判定するステップと、
ｉｉｉ．復号すべき前記リソースとして、前記開始位置および前記ギャップに従って、所与の複数の物理リソース・ブロック対内で単位のセットを判定するステップと、
を含み、
前記ステップｉは、ＵＥ固有情報に従って前記開始位置を判定し、
前記単位のうちの２つの間の前記ギャップは、前記物理リソース・ブロック対のうちの１つのサイズの整数倍ではない、方法。
【請求項２】
前記単位は、物理リソース・ブロック内の制御チャネル要素であり、前記ステップｉは、
−  前記物理ダウンリンク制御チャネル内で要求される制御チャネル要素の総数と、
−  １つの物理リソース・ブロック対内の制御チャネル要素の個数と、
に従って１つの物理リソース・ブロック対内の制御チャネル要素の開始位置を判定する、請求項１に記載の方法。
【請求項３】
前記ステップｉは、次式
ＩＥＣＣＥ＝ｍａｘ［ＩＤＣ−ＲＮＴＩ  ｍｏｄ（ＮＥＣＣＥ−（ＡＬ−１）），０］
を使用し、ここで、ＩＥＣＣＥは、１つの物理リソース・ブロック対内の開始制御チャネル要素のインデックスを表し、ＩＤＣ−ＲＮＴＩは、ＵＥ固有ＩＤを表し、ＮＥＣＣＥは、１つの物理リソース・ブロック対内の制御チャネル要素の前記個数を表し、ＡＬは、前記物理ダウンリンク制御チャネル内で要求される制御チャネル要素の前記総数に関係するアグリゲーション・レベルを表す、請求項２に記載の方法。
【請求項４】
前記リソースの前記単位は、物理リソース・ブロック対内の制御チャネル要素内のリソース要素グループであり、前記ステップｉは、
ａ．１つの物理リソース・ブロック対内で前記リソース要素グループが中に配置される制御チャネル要素の前記開始位置を、
−  ＵＥ固有情報と、
−  要求される制御チャネル要素の総数と、
−  １つの制御チャネル要素内のリソース要素グループの個数と、
−  １つの物理リソース・ブロック対内の制御チャネル要素の個数と、
に従って判定するステップと、
ｂ．前記制御チャネル要素内の前記リソース要素グループの前記開始位置を、
−  ＵＥ固有情報と、
−  要求される制御チャネル要素の前記総数と、
−  １つの制御チャネル要素内のリソース要素グループの前記個数と、
に従って判定するステップと、
を含む、請求項１に記載の方法。
【請求項５】
前記ステップａは、次式
【数１】
2017147766.tif 000001
を使用し、ここで、ＩＥＣＣＥは、１つの物理リソース・ブロック対内の開始制御チャネル要素のインデックスを表し、ＩＤＣ−ＲＮＴＩは、ＵＥ固有ＩＤを表し、ＮＥＣＣＥは、１つの物理リソース・ブロック対内の制御チャネル要素の前記個数を表し、ＮＥＲＥＧは、１つの制御チャネル要素内のリソース要素グループの前記個数を表し、ＡＬは、前記物理ダウンリンク制御チャネル内で要求される制御チャネル要素の前記総数に関係するアグリゲーション・レベルを表す、請求項４に記載の方法。
【請求項６】
前記ステップｂは、次式
ＩＥＲＥＧ＝ｍａｘ［ＩＤＣ−ＲＮＴＩ  ｍｏｄ（ＮＥＲＥＧ−（ＡＬ−１）），０］
を使用し、ここで、ＩＥＲＥＧは、１つの制御チャネル要素内の開始リソース要素グループのインデックスを表し、ＩＤＣ−ＲＮＴＩは、ＵＥ固有ＩＤを表し、ＮＥＲＥＧは、１つの制御チャネル要素内のリソース要素グループの前記個数を表し、ＡＬは、前記物理ダウンリンク制御チャネル内で要求される制御チャネル要素の前記総数に関係するアグリゲーション・レベルを表す、請求項４または５に記載の方法。
【請求項７】
前記ステップｉは、
−  前記物理ダウンリンク制御チャネルのサブフレームのインデックス、
−  前記物理ダウンリンク制御チャネルの前記物理リソース・ブロック対、
のうちの少なくとも１つにさらに従って、１つの物理リソース・ブロック対内の前記リソースの単位の前記開始位置を判定する、請求項１、２、または４のいずれか１項に記載の方法。
【請求項８】
前記単位は、物理リソース・ブロック対内の制御チャネル要素であり、
前記ステップｉｉは、
−  前記制御チャネル要素のうちの２つの間の前記ギャップを判定するステップ、または、
−  連続するものとして同一の物理リソース・ブロック対内の前記制御チャネル要素を判定するステップ、
を含む、請求項１に記載の方法。
【請求項９】
前記リソースの前記単位は、物理リソース・ブロック対内の制御チャネル要素内のリソース要素グループであり、前記ステップｉｉは、
−  連続するものとして同一の制御チャネル要素内の前記リソース要素グループを判定するステップと、
−  異なる物理リソース・ブロック対内の対応するリソース要素グループの間のギャップを、
−  １つの物理リソース・ブロック対内の制御チャネル要素の個数と、
−  前記物理ダウンリンク制御チャネルのために使用可能な物理リソース・ブロック対の総数と、
−  前記物理ダウンリンク制御チャネルが中に拡散される物理リソース・ブロック対の個数と、
に従って判定するステップと、
を含む、請求項１に記載の方法。
【請求項１０】
前記ステップｉｉは、異なる物理リソース・ブロック対内の対応するリソース要素グループの間の前記ギャップを判定するのに次式を使用し、
【数２】
2017147766.tif 000002
ここで、ＧＥＲＥＧは、制御チャネル要素の単位内のギャップであり、ＮＥＣＣＥは、１つの物理リソース・ブロック対内の制御チャネル要素の前記個数を表し、ＮＰＲＢは、前記物理ダウンリンク制御チャネルのために使用可能な物理リソース・ブロック対の前記総数を表し、ＮＤＩＶは、前記物理ダウンリンク制御チャネルが中に拡散される物理リソース・ブロック対の前記個数を表す、請求項９に記載の方法。
【請求項１１】
前記方法は、ＵＥ内で前記物理ダウンリンク制御チャネルを取り出すためのものであり、前記方法は、
−  前記判定されたセットに基づいて、前記複数の物理リソース・ブロック対内の１つまたは複数の候補を判定するステップと、
−  それぞれの候補について、その候補から前記物理ダウンリンク制御チャネルを取り出すために、その候補のリソースの単位の前記セット上で送信された信号を復号するステップと、
をさらに含む、請求項１に記載の方法。
【請求項１２】
前記方法は、ｅＮＢ内で前記物理ダウンリンク制御チャネルを送信するためのものであり、前記方法は、
−  前記判定されたセットに基づいて、前記複数の物理リソース・ブロック対内の１つまたは複数の候補を判定するステップと、
−  前記１つまたは複数の判定された候補から１つを選択し、前記選択された候補内で符号化された物理ダウンリンク制御チャネルを送信するステップと、
をさらに含む、請求項１に記載の方法。
【請求項１３】
ＵＥまたはｅＮＢ内で、物理ダウンリンク制御チャネルを取り出すために前記ＵＥによって復号すべきリソースを判定する装置であって、
ｉ．１つの物理リソース・ブロック対内のリソースの単位の開始位置を判定する第１判定手段と、
ｉｉ．前記単位のうちの２つの間のギャップを判定する第２判定手段と、
ｉｉｉ．復号すべき前記リソースとして、前記開始位置および前記ギャップに従って、所与の複数の物理リソース・ブロック対内で単位のセットを判定する第３判定手段と、
を含み、
前記第１判定手段は、ＵＥ固有情報に従って前記開始位置を判定し、
前記単位のうちの２つの間の前記ギャップは、前記物理リソース・ブロック対のうちの１つのサイズの整数倍ではない、装置。